(57)【要約】      （修正有）【課題】常時オンのワイヤレスＩＰ通信のシステムおよび方法を提供する。【解決手段】常時オンのパケットデータサービングノード（ＰＤＳＮ）を含むアクセスプロバイダネットワーク（ＡＰＮ）がワイヤレス通信リンク上で、移動局と通信するために用いられ得る。ＰＤＳＮは、無活動タイマーを含み、かつ、無活動タイマーを無活動タイマーのスタート値にセットし、ワイヤレス通信リンク上で、スタート値の推定を移動局に送信するために用いられ得る。このとき、スタート値の推定は、無活動タイマーの推定を受信し、無活動タイマーの推定をスタート値の推定にセットするために用いられ得る。移動局は、また移動局が、ＡＰＮと通信するとき、無活動タイマーの推定をスタート値の推定に再セットするために用いられ得る。【選択図】図１
2010063136.tif 000002
【特許請求の範囲】
【請求項１】
明細書に記載の常時オンのワイヤレスインターネットプロトコル（ＩＰ）通信方法。
【発明の詳細な説明】
【技術分野】
【０００１】
この特許文書に記載される技術は、概してポイントツーポイント通信技術の分野に関する。詳細には、この特許文書は、２方向のページング装置、携帯電話、ラップトップコンピュータもしくは他のタイプのワイヤレス有効デバイスといった移動局を有する常時オンのワイヤレスインターネットプロトコル（ＩＰ）通信のシステムおよび方法を記載する。
【背景技術】
【０００２】
ワイヤレスＩＰネットワークがこの分野において知られている。このようなワイヤレスネットワークが、「ＣＤＭＡ２０００（登録商標）Ｗｉｒｅｌｅｓｓ  ＩＰ  Ｎｅｔｗｏｒｋ  Ｓｔａｎｄａｒｄ」，ＴＩＡ／ＩＳ―８３５―ＢＴＩＡ／ＩＳ―８３５―Ｂに記載されている。ＣＤＭＡ２０００（登録商標）Ｗｉｒｅｌｅｓｓ  ＩＰ  Ｎｅｔｗｏｒｋは、リンク制御プロトコル（ＬＣＰ）を利用して、ポイントツーポイント（ＰＰＰ）を確立し、かつ、設定する。ＰＰＰは、Ｒｅｑｕｅｓｔ  ｆｏｒ  Ｃｏｍｍｅｎｔｓ（ＲＦＣ）１６６１に記載されている。ＴＩＡ／ＩＳ―８３５―ＢおよびＲＦＣ１６６１は、参照として、ここに援用されている。
【発明の概要】
【課題を解決するための手段】
【０００３】
（発明の要旨）
ここで記載される教示に従って、常時オンのワイヤレスＩＰ通信のシステムおよび方法が提供されている。常時オンのパケットデータサービングノード（ＰＤＳＮ）を含むアクセスプロバイダネットワーク（ＡＰＮ）がワイヤレス通信リンク上で、移動局と通信するために用いられ得る。ＰＤＳＮは、無活動タイマーを含み、かつ、無活動タイマーを無活動タイマーのスタート値にセットし、ワイヤレス通信リンク上で、スタート値の推定を移動局に送信するために用いられ得る。このとき、スタート値の推定は、無活動タイマーの推定を受信し、無活動タイマーの推定をスタート値の推定にセットするために用いられ得る。移動局は、またその移動局が、ＡＰＮと通信するとき、無活動タイマーの推定をスタート値の推定に再セットするために用いられ得る。
【０００４】
移動局とアクセスプロバイダネットワーク（ＡＰＮ）との間の常時オンのワイヤレス通信リンクを保持する方法は、以下のステップを含み得る。移動局とＡＰＮとの間のワイヤレス通信リンクを確立すること。ＡＰＮにおける無活動タイマーを無活動タイマーのスタート値にセットすること。ＡＰＮから、無活動タイマーのスタート値の関数であるスタート値の推定を、移動局に送信すること。移動局における無活動タイマーの推定をスタート値の推定にセットすること。移動局のＡＰＮとの間のデータトラフィックに対して、移動局とＡＰＮとの間のワイヤレス通信リンクをモニタすること。データトラフィックが検出されるとき、移動局における無活動タイマーの推定をスタート値の推定に再セットし、ＡＰＮにおける無活動タイマーを無活動タイマーのスタート値に再セットすること。
【図面の簡単な説明】
【０００５】
【図１】図１は、移動局を有する常時オンの通信をサポートするワイヤレスＩＰ通信システムの例を示す。
【図２】図２は、図１のシステムのさまざまなコンポーネントでのプロトコルスタックの例を示す。
【図３】図３は、常時オンの移動局の例のブロック図を示す。
【図４】図４は、常時オンのＰＤＳＮの例のブロック図を示す。
【図５】図５は、図４の常時オンのＰＤＳＮの例のさらに詳細なブロック図を示す。
【図６】図６は、常時オンの移動局の動作の例を示すフローチャートである。
【図７】図７は、常時オンの移動局の動作の例を示すフローチャートである。
【図８】図８は、常時オンの移動局の動作の例を示すフローチャートである。
【図９】図９は、常時オンのＰＤＳＮの動作の例を示すフローチャートである。
【発明を実施するための形態】
【０００６】
図を参照して、図１は、移動局を有する常時オンの通信をサポートするワイヤレスＩＰ通信システムの例を示す。通信システムは、常時オンのターゲットビジテッドアクセス局（ＶＡＰＮ）１２と、常時オンのサービングＶＡＰＮ２０と、バックエンドネットワークインフラ（６０、７０、８０）と、エンドホスト４０とを含む。また通信システムに含まれるのは、インターネットといったＩＰネットワーク３０およびＳＳ７ネットワークといったブロードバンド遠距離通信５０である。
【０００７】
動作中、常時オンの移動局（ＭＳ）１０は、ＩＰネットワーク３０上で、バックエンドインフラ（６０、７０、８０）と協力している少なくとも１つの常時オンのＶＡＰＮ（１２、２０）を介して、エンドホスト４０と通信する。移動局１０は、休止状態のとき（例えば、送受信するデータを有していないとき）、その移動局１０は、ポイントツーポイントプロトコル（ＰＰＰ）セッションといったパケットデータセッションが、移動局１０と常時オンのアクセスプロバイダネットワーク（１２、２０、６０）との間で保持され得るという意味において、常時オンである。加えて、ＰＰＰセッションは、移動局１０が、受信範囲から出ている間中、保持され得るか、もしくは、移動局１０が、データ通信をサポートしないネットワークによって提供されているときの時間を含み得るＡＰＮ（１２、２０）と一時的に通信しない。
【０００８】
常時オンのターゲットＶＡＰＮ１２は、ターゲットラジオネットワーク（ＲＮ）１４と、常時オンのターゲットパケットデータサービングノード（ＰＤＳＮ）１６とを含む。常時オンのサービングＶＡＰＮ２０は、ソースラジオネットワーク（ＲＮ）２２と、常時オンのサービングＰＤＳＮ２５と、リモート認証ダイアルインサービス（ＲＡＤＩＵＳ）サーバ２４と、移動スイッチングセンター（ＭＳＣ）２３とを含む。好ましくは、移動局１０は、常時オンのターゲットＶＡＰＮ１２と通信し、それから、バックエンドインフラ（６０、７０、８０）と、エンドホスト４０との通信のために、常時オンのサービングＶＡＰＮ２０にハンドオフされる。しかしながら、もしくは、移動局１０は、常時オンのサービングＶＡＰＮ２０を直接的に介して、バックエンドインフラと通信し得る。
【０００９】
常時オンのターゲットＰＤＳＮ１６および／または常時オンのサービングＰＤＳＮ２５は、移動局１０に対して、常時オンのサービスをサポートするように構成されている。常時オンのサービングＰＤＳＮ２５は、好ましくは、常時オンのターゲットＰＤＳＮ１６を介して、移動局１０と協力する。しかしながら、もしくは、ターゲットＰＤＳＮ１６またはサービングＰＤＳＮ２５の１つだけが、常時オンのＰＤＳＮであり得る。常時オンの移動局１０および常時オンのＰＤＳＮ（１６、２５）の記載を含む常時オンのサービスの詳細な記載が、図２〜９を参照して以下に提供されている。
【００１０】
ラジオネットワーク（ＲＮ）（１４、２２）は、ＲＦ通信を移動局１２に提供する基地局を含み、かつ、常時オンのＰＤＳＮ（１６、２５）と通信するパケット制御機能（ＰＣＦ）を含み得る。ＲＮ（１４、２２）とＰＤＳＮ（１６、２５）との間の通信リンクは、ユーザパケットデータと、信号メッセージとを、ＰＣＦと、ＰＤＳＮ（１６、２５）との間で転送するＧＲＥトンネルを用いるＲ―Ｐインターフェースであり得る。ターゲットＰＤＳＮ１６とサービングＰＤＳＮ２５との間の通信リンクは、単一のサービスインスタンスに対してユーザデータを転送するＰ―Ｐインターフェースであり得て、かつ、迅速なハンドオフ機能をサポートするために用いられ得る。
【００１１】
サービングＶＡＰＮ２０と、家庭用ＩＰネットワーク７４と、ブローカネットワーク８４とに位置するＲＡＤＩＵＳサーバ（２４、７４、８４）は、ＡＡＡの機能性を提供するＣＤＭＡ２０００（登録商標）ネットワークに通常用いられるといった認証、認可、課金（ＡＡＡ）サーバである。家庭用ＩＰネットワーク７０および家庭用ＲＡＤＩＵＳサーバ７４は、移動局１０に対してネットワークアクセス識別子（ＮＡＩ）といったＩＰに基づくデータサービスを移動局のユーザに提供する。ブローカネットワーク８０およびブローカＲＡＤＩＵＳサーバ８４は、ＲＡＤＩＵＳメッセージ（例えば、ＡＡＡ情報）をＶＡＰＮ  ＲＡＤＩＵＳサーバ２４と家庭用ＲＡＤＩＵＳサーバ７４との間で安全に転送するために用いられ得る中間のネットワーク／サーバである。１つより多くブローカＲＡＤＩＵＳサーバ８４が、ＶＡＰＮ  ＲＡＤＩＵＳサーバ２４と家庭用ＲＡＤＩＵＳサーバ７４との間で転送するために用いられ得ることが理解されるべきである。
【００１２】
移動スイッチングセンター（ＭＳＣ）２３は、ソースＲＮ２２と、家庭用アクセスプロバイダネットワーク（ＡＰＮ）６０にある家庭用ロケーションレジスタ（ＨＬＲ）（６２）とを接続する。家庭用アクセスプロバイダネットワーク６０は、移動局１０に対して、家庭用サービスエリアを提供するワイヤレスネットワークである。図１に示されているシステムは、常時オンの移動局１２の動作を示す例であり、一方で、移動局１２が、家庭用アクセスプロバイダネットワーク６２の受信範囲外であることが理解されるべきである。しかしながら、家庭用アクセスプロバイダネットワーク６０は、好ましくは、家庭用ラジオネットワーク（ＲＮ）と、家庭用常時オンのＰＤＳＮとを含むアクセスされるアクセスプロバイダネットワーク（１２、２０）といった同様のコンポーネントを含む。従って、常時オンのサービスは、また常時オンの移動局１２と家庭用ＡＰＮ６０における家庭用常時オンのＰＤＳＮとの間で利用可能であり得る。
【００１３】
例えば、図１に示されるワイヤレスＩＰ通信システムの例は、ここで記載されるように、常時オンのサービスを提供するように構成されているＣＤＭＡ２０００（登録商標）のワイヤレスＩＰネットワークであり得る。典型的なＣＤＭＡ２０００（登録商標）のワイヤレス２０００（登録商標）のＩＰネットワークの動作についてさらなる詳細が、以下の標準文書（ここでは、「標準」（Ｓｔａｎｄａｒｄ）と呼ばれる）に見つけられ得る：ＴＩＡ／ＩＳ―８３５―Ｂ（３ＧＰＰ２  Ｐ．Ｓ０００１―Ｂ），ＲＦＣ  １６６１，ＲＦＣ  ２１５３，ＴＩＡ／ＥＩＡ／ＩＳ―２０００―１（３ＧＰＰ２  Ｃ．Ｓ０００１―０），ＴＩＡ／ＥＩＡ／ＩＳ―２０００―２（３ＧＰＰ２  Ｃ．Ｓ０００２―０），ＴＩＡ／ＥＩＡ／ＩＳ―２０００―３（３ＧＰＰ２  Ｃ．Ｓ０００３―０），ＴＩＡ／ＥＩＡ／ＩＳ―２０００―４（３ＧＰＰ２  Ｃ．Ｓ０００４―０），ＴＩＡ／ＥＩＡ／ＩＳ―２０００―５（３ＧＰＰ２  Ｃ．Ｓ０００５―０），ＴＩＡ／ＥＩＡ／ＩＳ―７０７（３ＧＰＰ２  Ｃ．Ｓ００１７―０），３ＧＰＰ２  Ａ．Ｓ０００１，３ＧＰＰ２  Ａ．Ｓ００１１―０，  ３ＧＰＰ２  Ａ．Ｓ００１２―０，３ＧＰＰ２  Ａ．Ｓ００１３―０，３ＧＰＰ２  Ａ．Ｓ００１４―０，３ＧＰＰ２  Ａ．Ｓ００１５―０，３ＧＰＰ２  Ａ．Ｓ００１６―０，３ＧＰＰ２  Ａ．Ｓ００１７―０およびそれら改定版。これらは、ここで援用される。
【００１４】
図２は、図１のＩＰに基づくシステムのさまざまなコンポーネントでのプロトコルスタック（１１０、１２２、１２５、１４０）の例を示す。４つのプロトコルスタック（１１０、１２２、１２５、１４０）が示されている。それぞれは、常時オンの移動局（ＭＳ）１０と、ラジオネットワーク（ＲＮ）（１４、２２）と、常時オンのＰＤＳＮ（１６、２５）と、エンドホスト４０とにそれぞれ対応する。プロトコルスタック（１１０、１２５）それぞれは、常時オンのポイントツーポイントプロトコル（ＰＰＰ）層（１１５、１３０）を含む。常時オンのＰＰＰ層（１１５、１３０）は、互いに協力することにより、ＰＰＰセッションを保持する。ＰＰＰセッションは、移動局１０での受信範囲外もしくは同様な状況にも関わらず、移動局１０とエンドホスト４０との間のＩＰ通信を可能にする。常時オンの移動局１０での常時オンのＰＰＰ層１１５の動作が、図３を参照して、以下に記載されている。常時オンのＰＤＳＮ（１６、２５）での常時オンのＰＰＰ層１３５の動作が、図４、５を参照して、以下に記載されている。図２に示される残りのプロトコル層の動作は、当業者の認識内であり、標準文書により詳細に記載される。常時オンの移動局とＲＮとの間の物理層のエアリンクは、ＴＩＡ／ＥＩＡ／ＩＳ―２０００―２に記載される。常時オンの移動局とＲＮとの間のＭＡＣは、ＴＩＡ／ＥＩＡ／ＩＳ―２０００―３に記載される。常時オンの移動局とＲＮとの間のＬＡＣは、ＴＩＡ／ＥＩＡ／ＩＳ―２０００―４に記載される。物理層の制御のために用いられる層３の信号メッセージは、ＴＩＡ／ＥＩＡ／ＩＳ―２０００―５に記載される。常時オンの移動局とＲＮとの間のラジオリンクプロトコル（ＲＬＰ）は、ＴＩＡ／ＥＩＡ／ＩＳ―７０７に記載される。またＡ１０およびＡ１１と知られるＲ―Ｐプロトコルは、３ＧＰＰ２  Ａ．Ｓ０００１，３ＧＰＰ２
Ａ．Ｓ００１１―０，３ＧＰＰ２  Ａ．Ｓ００１２―０，３ＧＰＰ２  Ａ．Ｓ００１３―０，３ＧＰＰ２  Ａ．Ｓ００１４―０，３ＧＰＰ２  Ａ．Ｓ００１５―０，３ＧＰＰ２
Ａ．００１６―０，３ＧＰＰ２  Ａ．Ｓ００１７―０に記載される。
【００１５】
図３は、常時オンの移動局３１０の例のブロック図を示す。図４および図５は、ＰＤＳＮ４２５の常時オンの例のブロック図を示す。また図３〜図５に、常時オンの移動局３１０と、常時オンのＰＰＰセッションを保持するために用いられ得る常時オンのＰＤＳＮ４２５との間の通信（３５０、３５５、３６０、３７０、３８０、３９０、４７１、４７２）の例が示されている。
【００１６】
先ず、図３を参照して、移動局（ＭＳ）３１０の例は、常時オンのＭＳモジュール３１５と、プロセッサ３２０と、トランシーバ３２２と、無活動タイマーの推定３３０と、他の移動局モジュール３４０とを含む。プロセッサ３２０は、またマイクロプロセッサ、デジタル通信プロセッサ、もしくは他のいくつかのタイプの処理デバイスであり得る。トランシーバ３２２は、ＲＦ信号を送受信するように動作可能であり、単一のトランシーバ回路、もしくは別個の送信機回路と受信機回路とを含み得る。常時オンのＭＳモジュール３１５は、またソフトウェアモジュール、ハードウェアモジュールもしくはその両方の組み合わせであり得、無活動タイマーの推定３３０をセットし、追跡するように動作可能である。無活動タイマーの推定３３０は、常時オンのＰＤＳＮ４２５（図４および図５参照）における無活動タイマー４３０の値を推定する常時オンのＭＳモジュール３１５によってセットされる減少カウンタといった時間計測器であり得る。他のモジュール３４０は、ディスプレイ、キーボード、スピーカ、マイクロフォン等といった移動局３１０に通常含まれるソフトウェアモジュールおよび／またはハードウェアモジュールであり得る。
【００１７】
オプション的に、ＰＰＰセッション３９０が、移動局３１０と常時オンのＰＤＳＮ４２５との間で開始されるとき、ＰＤＳＮ４２５は、そのＰＤＳＮ４２５における無活動タイマー４３０に対する初期化値の関数としてＰＤＳＮによって生成されるスタート値の推定３５５を含むリンク制御プロトコル（ＬＣＰ）メッセージ３５０を移動局３１０に送信する。移動局３１０が、ＬＣＰメッセージ３１５を受信するとき、スタート値の推定３５５は、常時オンのＭＳモジュール３１５によって用いられることにより、無活動タイマーの推定３３０を初期化し、ＬＣＰ返答メッセージ３６０は、移動局３１０から常時オンのＰＤＳＮ４２５に送信される。
【００１８】
無活動タイマーの推定の値３３０は、特に、受信範囲外の状況において、常時オンのＭＳモジュール３１５の動作に影響を与える。つまり、ＰＤＳＮ４２５との常時オンの接続は、無活動タイマーの推定３３０が、満了しない限りは、保持される。無活動の間中、常時オンのＭＳモジュール３１５は、無活動タイマーの推定３３０を、スタート値の推定３５５から減少させる。ＰＰＰフレームが、移動局３１０によって送受信される度に、無活動タイマーの推定３３０は、スタート値の推定３５５に再セットされる。無活動の間中、常時オンの接続を保持するために、常時オンのＭＳモジュール３１５は、ＬＣＰメッセージもしくはＰＰＰセッション（３５０、３６０、３７０、３８０、３９０）を常時オンのＰＤＳＮ４２５に送信し、かつ、ＬＣＰメッセージもしくはＰＰＰセッション（３５０、３６０、３７０、３８０、３９０）を常時オンのＰＤＳＮ４２５から受信し得る。無活動タイマーの推定３３０が満了すると、移動局３１０は、新しいＰＰＰセッション３９０を開始し得るか、もしくは、無活動状態に入り得る。新しいＰＰＰセッション３９０が、移動局３１０によって開始されるとき、その移動局３１０は、ＰＤＳＮ４２５から新しいスタート値の推定３５５を受信し得るか、もしくは、先のＰＰＰセッションからのスタート値の推定３５５を用いて無活動タイマーの推定３３０を再セットし得る。移動局３１０の動作は、図６〜図８を参照して、さらに記載される。
【００１９】
図４を参照して、常時オンのＰＤＳＮ４２５の例は、常時オンのＰＤＳＮモジュール４１５と、プロセッサ４２０と、トランシーバ４２２と、無活動タイマー４３０と、他のＰＤＳＮモジュール４４０とを含む。プロセッサ４２０は、マイクロプロセッサ、信号プロセッサ、もしくは他のいくつかのタイプの処理デバイスであり得る。例えば、トランシーバ４２２は、ラジオネットワーク（ＲＮ）（１４、２２）を介して、ワイヤレスリンク上で、データを送受信するように構成されているネットワークカードであり得る。常時オンのＰＤＳＮモジュール４１５は、ソフトウェアモジュール、ハードウェアモジュールもしくはその両方の組み合わせであり得、無活動タイマー４３０を再セットし、かつ、追跡するように動作可能である。無活動タイマー４３０は、ＰＰＰフレームが、常時オンの移動局３１０に送信されるか、もしくは常時オンの移動局３１０から受信されるので、減少カウンタといった時間計測器であり得、常時オンのＰＤＳＮ４２５によって用いられることにより、時間の量をモニタし得る。
【００２０】
オプション的に、ＰＰＰセッション上で、ＩＰ制御プロトコル（ＩＰＣＰ）の開放状態に入ると、ＰＤＳＮ４２５は、無活動タイマー４３０を開始し、無活動タイマー４３０のスタート値の関数として生成されるスタート値の推定３５５を含むＬＣＰメッセージ３５０を移動局３１０に送信する。スタート値の推定３５５は、上述のように、無活動タイマー４３０の値を推定するために移動局３１０によって用いられる。それから、常時オンのＰＤＳＮ４２５におけるプロセッサ４２０が、常時オンのＭＳ３１０とともに、ＰＰＰの活動を検出するとき、常時オンのＰＤＳＮモジュール４１５は、活動を通知され、無活動タイマー４３０をそのスタート値に再セットする。例えば、常時オンのＰＤＳＮモジュール４１５に、無活動タイマー４３０を再セットされ得るＰＰＰの活動は、ＬＣＰメッセージ（３５０、３７０）を送信、もしくは受信すること、ＬＣＰ返答メッセージ３６０を送信、もしくは受信すること、初期のＰＰＰセッション３９０を受信すること、もしくは移動局３１０をとの他のＰＰＰセッション通信を含む。
【００２１】
図５は、図４に示されるコンポーネントに加えて、エコー返答タイムアウトタイマー４６０およびエコー要求再トライカウント４７０を示す常時オンのＰＤＳＮ４２５の例のさらに詳細なブロック図を示す。エコー変更タイムアウトタイマー４６０は、ＬＣＰ要求メッセージ３５０もしくはエコー要求メッセージ４７１が、移動局３１０からの返答がないため、ＰＤＳＮ４２５によって送信されるので、時間の量を追跡するために、ＰＤＳＮ４２５によって用いられ得る。エコー要求再トライカウンタは、常時オンのＰＤＳＮ４２５が、ＬＣＰメッセージ３５０もしくはエコー要求メッセージ４７１を、ＬＣＰ返答メッセージ３６０もしくはエコー返答メッセージ４７２を受信することなく移動局３１０に再送信する回数の数を記録し得る。ＬＣＰメッセージ３６０は、例えば、移動局がＬＣＰメッセージ３５０（例えば、ＬＣＰメッセージ３５０が、ＲＦＣ２１５３に明記されるような、ベンダー特定のＬＣＰメッセージのとき）をサポートしていないとき、拒絶であることが理解されるべきである。
【００２２】
無活動タイマー４３０が満了すると、ＰＤＳＮ４２５は、移動局３１０からエコー返答メッセージを引き出すことによって、ＰＰＰセッションを保持することを試みるために、エコー要求メッセージを移動局３１０に送信する。エコー要求メッセージは、ＰＤＳＮ４２５によって送信されるとき、エコー返答タイムアウトタイマー４６０がスタートし、エコー要求再トライカウンタ４７０が初期化される。エコー返答メッセージが、移動局３１０から受信されるとき、常時オンのＰＤＳＮ４２５は、無活動タイマー４３０を再セットし得、ＰＰＰセッションが保持される。それ以外の場合には、エコー返答タイムアウトタイマー４６０が満了し、エコー要求再トライカウンタ４７０が前もって選択されたカットオフ値（例えば、ゼロ）に到達してないとき、常時オンのＰＤＳＮ４２５は、他のＬＣＰエコー要求メッセージを移動局３１０に送信し、エコー要求再トライカウンタ４７０を減少させ、エコー返答タイムアウトタイマー４６０を再スタートさせ得る。エコー返答メッセージもしくは他のＰＰＰ活動が、移動局３１０から受信されるまで、または、エコー要求再トライカウンタ値が、常時オンのＰＤＳＮ４２５がＰＰＰセッションをクローズし得るかカットオフ値まで到達するまで、この処理が繰り返され得る。常時オンのＰＤＳＮ４２５の動作は、図９を参照して、さらに記載される。
【００２３】
無活動タイマー４３０が満了するとき、エコー返答メッセージを送受信するＰＤＳＮ４２５を説明するために、移動局３１０に送信されるスタート値の推定３５５は、以下のように計算される：
ＳＶＥ＝ＩＴ＋ＥＲＴ×（ＥＲＲ＋１）  。
【００２４】
このとき、ＳＶＥは、スタート値の推定３５５であり、ＩＴは、無活動タイマー４３０のスタート値であり、ＥＲＴは、エコー返答タイムアウトタイマー４３０のスタート値であり、ＥＲＲは、エコー要求再トライカウンタのスタート値である。
【００２５】
しかしながら、他の技術が、正確な推定を提供するスタート値の推定３５５を計算するために用いられ得ることが理解されるべきである。
【００２６】
図６〜図８は、常時オンの移動局の動作の例を示すフローチャートである。先ず、図６を参照して、方法が、例えば、常時オンの移動局の電源オンのとき、起こり得るステップ５００から始まる。ステップ５０５において、移動局は、ＰＰＰセッションを開始する。例えば、移動局は、サービスオプション３３といったパケットデータサービスオプションを用いて通話を開始し得る。ＰＰＰセッション開始の手順のさらなる詳細は、ＴＩＡ／ＥＩＡ／ＩＳ―２０００―１、ＴＩＡ／ＥＩＡ／ＩＳ―２０００―２、ＴＩＡ／ＥＩＡ／ＩＳ―２０００―３、ＴＩＡ／ＥＩＡ／ＩＳ―２００００―４、ＴＩＡ／ＥＩＡ／ＩＳ―２００―５、ＴＩＡ／ＥＩＡ／ＩＳ―７０７において利用可能である。これらは、ここで参照として援用される。ＰＤＳＮは、それから、ＰＰＰセッションを移動局に開き、移動局をＩＰ制御プロトコル（ＩＰＣＰ）の開放状態５１０に入らせ得る。
【００２７】
ステップ５１５において、移動局は、上述されるように、スタート値の推定を含むＰＤＳＮからＬＣＰメッセージといったデータフィールドのメッセージを受信したかどうかを決定する。しかしながら、移動局は、ＰＤＳＮからＲＮに送信され、それから、ＩＳ―７０７の新しいバージョンにおいて定義されるメッセージを介してＭＳに送信されたＡインターフェースの新しいバージョンにおいてＡインターフェースメッセージを介してといった他の方法で、スタート値の推定を受信し得ることが理解されるべきである。いずれの場合も、予想されるメッセージが、所定の時間間隔内で、移動局によって受信されないとき、方法は、図８に進む。もしくは、予想されるデータフィールドを有するメッセージが、所定の時間間隔内で、受信されるとき、方法は、図７に続く。
【００２８】
図７を参照して、方法は、図６から続く。ステップ６００で、移動局における無活動タイマーの推定は、再セットされる。例えば、移動局が、図６において、６０秒のスタート値の推定を受信するとき、無活動タイマーの推定は、６０にセットされ得、ゼロで満了するように、１秒に１ずつ減少させる。ステップ６０５で、移動局は、ＰＰＰ活動をモニタする。ＰＰＰ活動が検出されるとき、方法は、ステップ６００に戻る。ＰＰＰ活動が検出されないとき、方法は、ステップ６１０に続く。例えば、ＰＰＰ活動は、ＰＰＰパケットをＰＤＳＮに送信するか、もしくはＰＤＳＮからＰＰＰパケットを受信することによって検出され得、および／または承認を送信もしくは受信する。
【００２９】
決定ステップ６１０で、移動局は、ＰＤＳＮによってその移動局への到達不可能にさせる条件が存在するかどうかを決定する。例えば、（もしくは他の理由のために）到達不可能な条件は、ページングチャンネルを失うことから生じ得て、エアインターフェースが、同時のサービスをサポートしていないとき、ＥＶＲＣといったサービスオプションを用いる音声通話を掛ける。移動局への到達不可能な条件がないとき、方法は、ステップ６０５に戻る。もしくは、移動局への到達不可能な条件があるとき、方法は、ステップ６１５に続く。
【００３０】
決定ステップ６１５で、移動局は、その移動局がＰＤＳＮによって到達可能かどうかを決定する。例えば、（もしくは他の理由のために）このことは、移動局が、ページングチャンネルの損失の後に、ページングチャンネルを要求し、ＥＶＲＣといったサービスオＰションを用いる音声の通話を終了するとき、起こり得る。移動局が依然到達不可能であるとき、方法は、決定ステップ６１５で留まる。もしくは、移動局が、到達可能になるとき、方法は、決定ステップ６２０に続く。
【００３１】
決定ステップ６２０で、移動局は、無活動タイマーの推定が満了したかどうかを決定する。移動局に基づく無活動タイマーの推定が、満了していないとき、処理は、ステップ６０５に続く。無活動タイマーの推定が満了したとき、方法は、ステップ６２５に続く。ステップ６２５で、移動局は、ＬＣＰ要求メッセージをＰＤＳＮに送信し、返答を待つ。移動局は、ステップ６３０において、ＰＤＳＮから、ＬＣＰ返答を受信すると、処理は、ステップ６００に続く。
【００３２】
図８を参照して、方法は、図６から続く。決定ステップ７００で、移動局は、図７においてステップ６１０を参照して上述されるように、ＰＤＳＮによってその移動局への到達不可能にさせる条件が存在するかどうかを決定する。移動局への到達不可能な条件がないとき、方法は、ステップ７００に留まり、移動局は、通常動作を継続する。もしくは、移動局への到達不可能な条件があるとき、方法は、ステップ７０５に続く。決定ステップ７０５で、移動局は、その移動局がＰＤＳＮによってもう一度到達可能かどうかを決定する。例えば、（もしくは他の理由のために）移動局は、ページングチャンネルを要求し、ＥＶＲＣといったサービスオプションを用いる音声の通話を終了するとき、到達可能になり得る。決定ステップ７０５の結果が、移動局は、依然到達不可能であるとき、処理は、決定ステップ７０５に留まる。決定ステップ７０５の結果が、移動局は、到達可能であるとき、移動局は、ステップ７１０で、ＰＰＰセッションを開始し、方法が繰り返される。
【００３３】
図９は、常時オンのＰＤＳＮの動作の例を示すフローチャートである。方法は、ＰＤＳＮが、移動局とともに、ＰＰＰセッションを開始するとき、ステップ８００から始まる。ステップ８０５で、ＰＤＳＮは、ＩＰ制御プロトコル（ＩＰＣＰ）の開放状態に入り、処理は、ステップ８１０に続く。ステップ８１０で、ＰＤＳＮは、上述のようにスタート値の推定を含む非ゼロ長のデータフィールドを含むエコー要求メッセージといったＬＣＰメッセージを送信する。それから、ステップ８１５で、ＰＤＳＮは、無活動タイマーをスタート（もしくは再セット）する。例えば、６０秒の値が、無活動タイマーのスタート値に対して用いられるとき、ＰＤＳＮは、無活動タイマーを６０にセットし、ゼロで満了するように１秒に１ずつ減少させる。
【００３４】
無活動タイマーがセットされると、方法は、ステップ８２０で、ＰＰＰ活動をモニタする。ＰＰＰ活動が検出されるとき、方法は、ステップ８１５に戻る。もしくは、ＰＰＰ活動が検出されないとき、方法は、ステップ８２５に続く。例えば、ＰＰＰ活動は、ＰＰＰパケットを移動局に送信するか、もしくは移動局からＰＰＰパケットを受信することによって検出され得る。決定ステップ８２５で、ＰＤＳＮは、無活動タイマーが満了したかどうかを決定する。無活動タイマーが満了したとき、方法は、ステップ８２０に戻る。もしくは、ステップ８３０に続く。
【００３５】
ステップ８３０で、ＰＤＳＮは、エコー要求メッセージといったＬＣＰメッセージを移動局に送信する。それから、ステップ８３５で、ＰＤＳＮは、エコー返答タイムアウトタイマーをスタートし、１ずつエコー要求再トライカウンタを減少させる。ステップ８４０で、ＰＤＳＮは、ＬＣＰエコー返答メッセージ、ＬＣＰエコー要求メッセージもしくは移動局からの他のＰＰＰデータをモニタする。ＰＰＰメッセージが、ステップ８４０で、受信されるとき、エコー返答タイムアウトタイマーが、ステップ８４５で、ストップし、補方は、ステップ８１５に戻る。もしくは、ＰＰＰメッセージが、ステップ８４０で、受信されてないとき、方法は、ステップ８５０に続く。
【００３６】
決定ステップ８５０で、ＰＤＳＮは、エコー返答タイムアウトタイマーが満了したかどうかを決定する。エコー返答タイムアウトタイマーが満了していないとき、方法は、ステップ８４０に戻る。しかしながら、エコー返答タイムアウトタイマーが満了しているとき、方法は、ステップ８５５に続く。決定ステップ８５５で、ＰＤＳＮは、エコー要求再トライカウンタがゼロより大きいかどうかを決定する。カウンタがゼロより大きいとき、方法は、ステップ８３０に戻る。もしくは、エコー要求再トライカウンタが、ゼロより大きくないとき、ＰＰＰセッションは、ステップ８６０で解除され、方法は、終了する。
【００３７】
この記載は、最良の実施形態を含む例を用いて、本発明を開示し、また当業者が、本発明を利用することを可能にする。特許を受けることができる範囲は、当業者に想到する他の例を含み得る。例えば、１つの実施形態において、常時オンのＡＰＮは、常時オンのＰＤＳＮおよび常時オンの移動局と協力することにより、音声通信をＰＰＰ活動として処理する常時オンのラジオネットワーク（ＲＮ）を含み得る。常時オンのＰＤＳＮは、常時オンのＲＮから、常時オンの移動局が現在通話中であり、従って、移動局は、ＰＰＰ通信の目的のために、到達不可能であると決定し得る。この場合、常時オンのＰＤＳＮは、常時オンの移動局をまるでＰＰＰの目的のために活動中であるとして処理し得る。
【産業上の利用可能性】
【００３８】
本発明は、２方向のページング装置、形態電話、ラップトップコンピュータもしくは他のタイプのワイヤレス有効デバイスといった移動局を有する常時オンのワイヤレスインターネットプロトコル（ＩＰ）通信のシステムおよび方法を記載する。
【図１】
2010063136.tif 000003
【図２】
2010063136.tif 000004
【図３】
2010063136.tif 000005
【図４】
2010063136.tif 000006
【図５】
2010063136.tif 000007
【図６】
2010063136.tif 000008
【図７】
2010063136.tif 000009
【図８】
2010063136.tif 000010
【図９】
2010063136.tif 000011